(57)【要約】【課題】  遊技装置等の接客面に設置する際の設置スペースをコンパクトにできる紙幣識別装置を提供する。【解決手段】  本発明にかかる紙幣識別装置では、その本体２が奥行方向に長くなっており、紙幣の挿入口３と回収口４がその本体２の前面側に並設されている。このため、その本体２の奥行方向の大部分を遊技装置に埋め込むように配置しても、紙幣の挿入及び回収を容易に行うことができる。そして、このように紙幣識別装置１を遊技装置に埋め込むように配置することで、遊技装置の接客面における紙幣識別装置１の設置スペースを小さくすることができる。また、紙幣識別装置１の接客面からの突出量を小さくすることができるため、遊技者に対して圧迫感等の不快感を与えることもない。【選択図】  図１
2005276052.tif 000002
【特許請求の範囲】
【請求項１】
紙幣よりも長い奥行きを有する本体に、
外部から紙幣を挿入するための挿入口と、
前記挿入口から挿入された紙幣を、内部の収納庫に搬送して収納させる搬送手段と、
前記搬送手段の搬送路に配置されて前記紙幣を識別判定する紙幣識別部と、
前記収納庫に収納された紙幣を回収するための、前記収納庫に連通した回収口と、
を設けて構成された紙幣識別装置であって、
前記挿入口と前記回収口が、前記本体の奥行側とは反対側の前面側に並設され、
前記搬送手段は、前記紙幣を奥行方向に搬送した後にその奥側で回りこむように反転させて、その先端が前記収納庫の前記回収口近傍に位置するように搬送することを特徴とする紙幣識別装置。
【請求項２】
前記搬送手段は、
前記挿入口から挿入された紙幣を、前記収納庫に対向する所定の待機位置に搬送する搬送機構と、
前記紙幣識別部を通過して前記待機位置に保持された紙幣を、その前記収納庫とは反対側に設置されたプッシャを押し込むことにより前記収納庫に収納するプッシャ機構と、
を備えたことを特徴とする請求項１記載の紙幣識別装置。
【請求項３】
前記挿入口が、前記紙幣を幅方向に立てて挿入できるように縦長形状に構成され、
前記回収口が、前記挿入口に横方向に隣接して設けられたことを特徴とする請求項１記載の紙幣識別装置。
【請求項４】
紙幣よりも長い奥行きを有する本体に、外部から紙幣を挿入するための挿入口と、前記挿入口から挿入された紙幣を、内部の収納庫に搬送して収納させる搬送手段と、前記搬送手段の搬送路に配置されて前記紙幣を識別判定する紙幣識別部と、前記収納庫に収納された紙幣を回収するための、前記収納庫に連通した回収口と、を設けて構成された紙幣識別装置であって、前記挿入口と前記回収口が、前記本体の奥行側とは反対側の前面側に並設され、前記搬送手段は、前記紙幣を奥行方向に搬送した後にその奥側で回りこむように反転させて、その先端が前記収納庫の前記回収口近傍に位置するように搬送する紙幣識別装置と、
前記紙幣識別装置が設置される紙幣処理装置の接客面に対して固定され、前記紙幣識別装置の前記本体の少なくとも一部を前記接客面の奥行側に収容させた状態で、前記本体をその奥行方向に沿って支持する取付部材と、
を備えたことを特徴とする紙幣識別ユニット。
【請求項５】
前記取付部材は、
前記紙幣識別装置の前面側端部近傍の周囲を覆うように支持する支持部と、
前記支持部に連設され、前記接客面に設けられた穴部を貫通して前記紙幣処理装置の内部に収容されるとともに、前記紙幣識別装置の前記本体をその奥行方向に沿ってガイドしつつ支持するガイド部と、
前記支持部の前面側端部に設けられて、前記回収口を前面側から開閉可能に閉塞するための蓋部と、
前記蓋部に形成されて前記挿入口を外部に露出させる開口部と、
を備えたことを特徴とする請求項４記載の紙幣識別ユニット。
【請求項６】
前記紙幣識別装置が、前記取付部材に着脱可能に支持されていることを特徴とする請求項５記載の紙幣識別ユニット。
【請求項７】
前記支持部に、前記紙幣処理装置側につながる制御用の信号線が接続される第１のコネクタが設けられる一方、前記紙幣識別装置の前記本体に露出して、前記第１のコネクタに着脱可能に接続される第２のコネクタが設けられ、
前記紙幣識別装置の前記取付部材への取り付けと同時に前記両コネクタが接続されるように構成されたことを特徴とする請求項６記載の紙幣識別ユニット。
【請求項８】
前記取付部材は、前記支持部の奥行方向の長さを調整することにより、前記紙幣識別装置の前記紙幣処理装置における奥行方向の挿入量を調整できるように構成されたことを特徴とする請求項５記載の紙幣識別ユニット。
【発明の詳細な説明】
【技術分野】
【０００１】
本発明は紙幣識別装置に関し、特に遊技装置等に設置されて使用されるのに好適であり、前面側から挿入された紙幣を識別した後、その紙幣を内部の収納庫に収納する紙幣識別装置に関する。
【背景技術】
【０００２】
一般に、パチンコ装置等の遊技装置の接客面には、パチンコ玉等の遊技媒体を貸し出す際に遊技者が挿入した紙幣の種別や真贋を識別するための紙幣識別装置が設置されている（例えば特許文献１）。
【０００３】
この紙幣識別装置は、例えば島内で隣接する遊技機の間に設置された台間玉貨機の上方の領域に装着される箱状の本体を有する。そして、遊技者によってその本体の下部等に開口した挿入口から紙幣が挿入されると、所定の判定基準でその紙幣の真贋を識別し、真券と判定されたものについては内部の収容庫に収容する。このとき、台間玉貨機が連動してその紙幣の額に相当する遊技媒体を排出して遊技者に提供する。収容庫に収容された紙幣については、例えば遊技場の店員が、その紙幣識別装置の本体の前側に設けられた蓋部を解錠し、前方に倒すように開放して紙幣を取り出す。一方、挿入された紙幣が偽札であると判定された場合には、内部の紙幣搬送機構を逆転動作させてその紙幣を挿入口から排出して返却する。
【特許文献１】特開２００３−２７２０１７号公報（図１，図３等）
【発明の開示】
【発明が解決しようとする課題】
【０００４】
しかしながら、上述した従来の紙幣識別装置は、紙幣が収容される収納庫全体を接客面より前方に配置する構成を有するため、その接客面に紙幣識別装置設置用の大きなスペースを設ける必要があるといった問題があった。
【０００５】
また、紙幣識別装置全体が前面に突出して設けられるため、遊技者に邪魔になったり圧迫感等の不快感を与えたりするといった問題があった。
本発明はこのような点に鑑みてなされたものであり、遊技装置等の接客面に設置する際の設置スペースをコンパクトにできる紙幣識別装置を提供することを目的とする。
【課題を解決するための手段】
【０００６】
本発明では上記問題を解決するために、紙幣よりも長い奥行きを有する本体に、外部から紙幣を挿入するための挿入口と、前記挿入口から挿入された紙幣を、内部の収納庫に搬送して収納させる搬送手段と、前記搬送手段の搬送路に配置されて前記紙幣を識別判定する紙幣識別部と、前記収納庫に収納された紙幣を回収するための、前記収納庫に連通した回収口と、を設けて構成された紙幣識別装置であって、前記挿入口と前記回収口が、前記本体の奥行側とは反対側の前面側に並設され、前記搬送手段は、前記紙幣を奥行方向に搬送した後にその奥側で回りこむように反転させて、その先端が前記収納庫の前記回収口近傍に位置するように搬送することを特徴とする紙幣識別装置が提供される。
【０００７】
このような紙幣識別装置によれば、紙幣の挿入口と回収口が、本体の前面側に並んで設けられており、挿入された紙幣は一旦本体の奥行側に搬送されて識別判定されるが、本体の奥側で反転して前方の回収口近傍まで戻ってくる。このため、前方から回収口に指を差し込むなどして収納庫内の紙幣を容易に回収することができる。
【０００８】
また、本発明では、紙幣よりも長い奥行きを有する本体に、外部から紙幣を挿入するための挿入口と、前記挿入口から挿入された紙幣を、内部の収納庫に搬送して収納させる搬送手段と、前記搬送手段の搬送路に配置されて前記紙幣を識別判定する紙幣識別部と、前記収納庫に収納された紙幣を回収するための、前記収納庫に連通した回収口と、を設けて構成された紙幣識別装置であって、前記挿入口と前記回収口が、前記本体の奥行側とは反対側の前面側に並設され、前記搬送手段は、前記紙幣を奥行方向に搬送した後に反転させて、その先端が前記収納庫の前記回収口近傍に位置するように搬送する紙幣識別装置と、前記紙幣識別装置が設置される紙幣処理装置の接客面に対して固定され、前記紙幣識別装置の前記本体の少なくとも一部を前記接客面の奥行側に収容させた状態で、前記本体をその奥行方向に沿って支持する取付部材と、を備えたことを特徴とする紙幣識別ユニットが提供される。
【０００９】
尚、ここでいう「紙幣処理装置」は、設置された紙幣識別装置で紙幣を受け入れることによって所定の処理動作を行う装置を意味し、挿入された紙幣の額に相当する遊技媒体を貸し出す遊技装置のみならず、自動販売機、両替機等の様々な装置を含み得る。
【００１０】
このような紙幣識別ユニットによれば、取付部材を介して紙幣識別装置の本体の奥行方向の少なくとも一部が紙幣処理装置に埋め込むように配置されるため、紙幣識別装置の接客面からの露出量を小さくすることができる。その際、紙幣の挿入口と回収口が前面側に並設されているため、紙幣の挿入及び回収を容易に行うことができる。
【発明の効果】
【００１１】
本発明の紙幣識別装置によれば、その本体が奥行方向に長くなっており、紙幣の挿入口と回収口がその本体の前面側に並設されている。このため、その本体の奥行方向の全部又は一部を、当該紙幣識別装置が設置される紙幣処理装置に埋め込むように配置しても、紙幣の挿入及び回収を容易に行うことができる。
【００１２】
そして、本発明の紙幣識別ユニットによれば、取付部材を介して紙幣識別装置を紙幣処理装置に埋め込むように配置することで、紙幣処理装置の接客面の紙幣識別装置設置用のスペースを小さくすることができる。
【発明を実施するための最良の形態】
【００１３】
以下、本発明の実施の形態を図面に基づいて詳細に説明する。本実施の形態は、本発明の紙幣識別装置をパチンコ機等の遊技装置に適用させたものである。図１は本実施の形態にかかる紙幣識別装置の外観を表す斜視図であり、図２は図１のＡ−Ａ矢視断面を概略的に表したものであり、紙幣識別装置の内部構造を表す説明図である。
【００１４】
図１に示すように、紙幣識別装置１は、内部に紙幣の収納庫や各種機構部を収容した奥行方向に長い直方体状の本体２を有し、その前面側に、紙幣の挿入口３と回収口４とが横方向に隣接して設けられている。また、本体２の前面側には、挿入された紙幣の種別を可視表示したり、紙幣の詰まりや収納庫の満杯状態を可視表示するモニタＬＥＤ５が設けられている。さらに、本体２の前方側面にはコネクタ６が固定して設けられ、内部制御回路につながる複数の信号線を収容したケーブルが引き回されて接続されている。
【００１５】
図２に示すように、本体２の内部には、上記内部制御回路を構成し、紙幣識別装置１の各種制御を司るマイクロコンピュータ（以下「マイコン」という）を搭載したプリント基板７と、紙幣Ｍをその搬送路に沿って収納庫８に対向する所定の待機位置に搬送する搬送機構９と、待機位置に保持された紙幣Ｍを後述するプッシャにより押し込んで収納庫８に収納するプッシャ機構１０が配設されている。
【００１６】
プリント基板７に搭載されたマイコンは、所定の演算処理を行うＣＰＵ，予め各種の数値やプログラムが書き込まれたＲＯＭ，演算過程の数値やフラグが所定の領域に書き込まれるＲＡＭ，各種センサ・スイッチ群からのディジタル信号が入出力されるＩ／Ｏインタフェース，及びこれらの各機器がそれぞれ接続されるバスライン等から構成されている。プリント基板７に搭載されたマイコンは、Ｉ／Ｏインタフェースを介して図示しない遊技装置本体のマイコンとシリアル通信可能に構成されている。上述したモニタＬＥＤ５も、プリント基板７に搭載されたマイコンに接続されている。
【００１７】
搬送機構９は、紙幣Ｍの搬送路に沿って設けられた複数の搬送ローラ１１と、これら複数の搬送ローラ１１に巻き付けられた搬送ベルト１２と、各搬送ローラ１１に対向配置された複数のピンチローラ１３とから構成されている。複数の搬送ローラ１１のうちその配列方向の端部に位置するものが駆動ローラとなっており、残りが従動ローラとなっている。駆動ローラは駆動軸を有し、本体２内に設けられた搬送用モータ１４により回転駆動される。搬送機構９の搬送路の挿入口３の近傍には、投入された紙幣Ｍの金種及び真贋を識別する紙幣識別部１５が設けられている。
【００１８】
さらに、搬送機構９の搬送路の紙幣識別部１５よりも奥側には、紙幣保留部１６が設けられており、紙幣識別部１５で識別された紙幣Ｍを待機位置に搬送する前に一時的に保留する。そして、紙幣識別部１５にて紙幣Ｍが偽札と判定されたり、遊技装置側のマイコンから返金指令があった場合には、搬送ローラ１１が逆転駆動され、その紙幣保留部１６に保留されている紙幣Ｍが挿入口３へ返却される。一方、遊技装置による玉貸し等の遊技媒体の排出処理が正常に完了して遊技装置側のマイコンから収金指令があった場合には、紙幣保留部１６に保留されている紙幣Ｍは待機位置まで搬送され、収納庫８へ収納される。
【００１９】
プッシャ機構１０は、待機位置に保留されている紙幣Ｍを収納庫８に押し込むように動作する長尺板状のプッシャ２１と、このプッシャ２１を収納庫８へ平行移動させるパンタグラフ式のリンク機構２２と、このリンク機構２２の交差部に配置された軸２３と、自軸周りに回動可能に構成され、軸２３を押圧又は押圧解除することによりリンク機構２２を伸縮させる円板状のプッシャカム２４とを有する。プッシャカム２４は、図示しないが、軸２３と当接するカム面においてその高さ（厚み）が変化する形状を有し、図示しない駆動モータにより軸２３と直角な軸回りに回転駆動され、その円周方向に沿って半円毎にその高さが漸増・漸減する。このため、プッシャカム２４が半回転するたびに軸２３をその回転軸と垂直な方向に駆動し、プッシャ２１を収納庫８に対して往復移動させる。
【００２０】
収納庫８は、収納された紙幣Ｍを押えている押え板３１と、この押え板３１をプッシャ機構１０側へ付勢して紙幣Ｍを整列積みするバネ３２とを内部に有している。
以上のように構成された紙幣識別装置１において、挿入口３から挿入された紙幣Ｍは、搬送ベルト１２とピンチローラ１３との間に挟まれた状態で搬送路に沿って搬送される。その間、紙幣識別部１５にて紙幣Ｍの真贋が識別され、偽札と判定されると、紙幣保留部１６に保留されている紙幣Ｍを挿入口３へ返却する。一方、紙幣Ｍが真であると判定されると、紙幣Ｍを待機位置に向けてさらに搬送する。このとき、紙幣Ｍは、本体２の奥側で回り込むように反転して前方の回収口４の近傍まで戻り、待機位置にて保持される。そして、所定のタイミングでプッシャ２１を作動させて紙幣Ｍを収納庫８に収納する。
【００２１】
次に、紙幣識別装置１を遊技装置に取り付ける際に用いられる取付部材の構成について説明する。図３は当該取付部材の構成を表す斜視図である。
この取付部材４０は、紙幣識別装置１の前端部を収容可能な枠状の支持部４１と、この支持部４１の下部に連設されて後方に延びる板状のガイド部４２と、支持部４１の前面側開口部を開閉する板状の蓋部４３とから構成されている。
【００２２】
支持部４１は、略正方形の枠体の前後方向に所定の長さを有し、その後面が遊技装置の接客面との当接面を構成する。枠内の４隅にそれぞれ形成されたリブには、その前後方向に貫通するネジ挿通孔５１が設けられている。枠内の片側の側壁には、前述した紙幣識別装置１のコネクタ６に接続されるコネクタ５２が配設されている。このコネクタ５２には、遊技装置側のマイコンにつながる複数の信号線を収容したケーブルが引き回されて接続されている。従って、紙幣識別装置１は、両コネクタが接続されることによって遊技装置側との通信を行うことができる。
【００２３】
ガイド部４２は、紙幣識別装置１の下端部の形状に沿うように、長方形状の板材の両側端縁を上方に屈曲させた形状を有する。ガイド部４２の先端は、支持部４１の下端載置部５３に同一平面状につながっている。
【００２４】
蓋部４３は、支持部４１の前面開口部に沿った略正方形板状をなし、その下端部が支持部４１の前面側下端部に設けられたヒンジ部を介して接続されている。この蓋部４３には、施錠用の鍵５４が設けられ、支持部４１の前面開口部を閉じた後にロックできるようになっている。また、この蓋部４３には、紙幣識別装置１の挿入口３及びモニタＬＥＤ５を外部に露出させるための開口部５５が形成されている。
【００２５】
尚、本実施の形態において、紙幣識別装置１と取付部材４０とを合せたものが本発明の紙幣識別ユニットの一形態に該当する。この場合、遊技装置からの紙幣識別ユニットの突出量は、取付部材４０の支持部４１の奥行方向の長さを変えることにより調整することができる。例えば、遊技装置の内部スペースに余裕がある場合には、支持部４１の奥行方向の長さを小さくして紙幣識別装置１の遊技装置内部への挿入量を大きくすることで、遊技装置の接客面からの紙幣識別ユニットの突出量を小さくでき、遊技装置外部の省スペース化を図ることができる。逆に、遊技装置の内部スペースにそれほど余裕がない場合には、紙幣識別装置１の遊技装置内部への挿入量を可能な範囲で大きくする一方、遊技装置の接客面からはみ出す部分については、支持部４１で支持できるように奥行方向の長さを設定すればよい。このようにしても、紙幣識別装置１の全体を遊技装置の接客面に露出させて設置する場合よりはスペースを有効に利用することができる。
【００２６】
次に、紙幣識別装置１の遊技装置への取付方法について説明する。図４〜図７は当該取付方法を表す説明図である。
紙幣識別装置１は、図４（Ａ）に示す遊技装置６０の隣接する遊技機６１の間に設置された台間玉貨機６２の上方の領域に設置される。遊技装置６０の接客面６３の当該領域には、紙幣識別装置１を内部に挿通させるための円孔６４が穿設され、その円孔６４の周囲の４点には、取付部材４０の４つのネジ挿通孔５１にそれぞれ対応したネジ孔が設けられている。
【００２７】
まず、遊技装置６０の接客面６３に取付部材４０を取り付けておく。すなわち、同図（Ｂ）に示すように、取付部材４０を、そのガイド部４２を円孔６４に挿通させつつ接客面６３に当接させ、ネジ６５を各ネジ挿通孔５１を介して各ネジ孔に螺合させて固定する。このとき、コネクタ５２には、遊技装置６０側の配線ケーブルが接続される。
【００２８】
そして、図５に示すように、蓋部４３が開放された状態の取付部材４０に対し、紙幣識別装置１を下端載置部５３及びガイド部４２に沿って挿入していく。このとき、同時に紙幣識別装置１側のコネクタ６と取付部材４０側のコネクタ５２とが接続される。尚、このようにして取付部材４０に取り付けられた紙幣識別装置１は、両コネクタの接続を外すことにより容易に分離して取り外すことができる。
【００２９】
このようにして、図６に示すように、紙幣識別装置１の本体２の大部分が遊技装置６０の内部（つまり接客面６３の背面側）に収容される。そして、この状態から取付部材４０の蓋部４３を閉じて鍵５４をロックすることにより、図７に示すように、紙幣識別装置１の遊技装置６０への取り付けが完了する。このとき、紙幣識別装置１の挿入口３は、取付部材４０の開口部５５から露出している。
【００３０】
図８は紙幣識別装置１に紙幣Ｍを挿入する様子を表す説明図である。尚、便宜上、遊技装置６０については図示を省略している。
同図に示すように、紙幣識別装置１の挿入口３が縦長であることから、遊技者は紙幣Ｍを図示のように幅方向に立てて挿入口３に挿入することになる。このため、遊技装置の椅子に腰掛けた状態でも紙幣Ｍと挿入口３との位置関係を容易に確認することができる。その結果、遊技者は腰掛けたまま上方に手を延ばして紙幣Ｍを容易に挿入口３に挿入することができる。
【００３１】
また、紙幣識別装置１の収納庫８から回収する際には、図７に示す鍵５４のロックを解除して図６のように蓋部４３を開けて回収口４を開放させ、先端部を外部に露出させた紙幣Ｍを掴んで取り出せばよい。
【００３２】
以上に説明したように、本実施の形態の紙幣識別装置１は、その本体２が奥行方向に長くなっており、紙幣Ｍの挿入口３と回収口４がその本体２の前面側に並設されている。このため、取付部材４０を介して本体２の奥行方向の大部分を遊技装置６０に埋め込むように配置しても、紙幣Ｍの挿入及び回収を容易に行うことができる。
【００３３】
そして、このように紙幣識別装置１を遊技装置６０に埋め込むように配置することで、遊技装置６０の接客面６３における紙幣識別装置１の設置スペースを小さくすることができる。また、紙幣識別装置１の接客面６３からの突出量を小さくすることができるため、遊技者に対して圧迫感等の不快感を与えることもない。
【００３４】
以上、本発明の好適な実施の形態について説明したが、本発明はその特定の実施の形態に限定されるものではなく、本発明の精神の範囲内での変化変形が可能であることはいうまでもない。
【００３５】
例えば、上記実施の形態では、紙幣識別装置１を遊技装置６０に取り付ける構成として、予め取付部材４０を遊技装置６０の接客面６３に取り付けておき、紙幣識別装置１を後から取り付ける構成を示したが、紙幣識別装置１と取付部材４０とを紙幣識別ユニットとして予め組み付けて構成しておき、遊技装置６０の接客面６３に取り付けるようにしてもよい。また、遊技装置６０の内部スペースに余裕がある場合などには、紙幣識別装置１を、取付部材４０を介さずに遊技装置６０に直接取り付けるようにしてもよい。
【００３６】
また、上記実施の形態では、紙幣識別装置１の構成として、プッシャ機構１０によって待機位置に保持された紙幣Ｍを収納庫８に収納する態様のものを示したが、このようなプッシャ機構１０を設けることなく、挿入された紙幣Ｍを順次搬送して収納庫８に直接収納していく構成としてもよい。
【００３７】
さらに、上記実施の形態では、紙幣識別装置１が設置される紙幣処理装置として遊技装置６０を例に挙げたが、これに限らず、自動販売機や両替機その他の紙幣処理装置に適用することが可能であることはもちろんである。
【図面の簡単な説明】
【００３８】
【図１】実施の形態にかかる紙幣識別装置の外観を表す斜視図である。
【図２】紙幣識別装置の内部構造を表す説明図である。
【図３】取付部材の構成を表す斜視図である。
【図４】紙幣識別装置の遊技装置への取付方法を表す説明図である。
【図５】紙幣識別装置の遊技装置への取付方法を表す説明図である。
【図６】紙幣識別装置の遊技装置への取付方法を表す説明図である。
【図７】紙幣識別装置の遊技装置への取付方法を表す説明図である。
【図８】紙幣識別装置に紙幣を挿入する様子を表す説明図である。
【符号の説明】
【００３９】
１  紙幣識別装置
２  本体
３  挿入口
４  回収口
６  コネクタ
７  プリント基板
８  収納庫
９  搬送機構
１０  プッシャ機構
１５  紙幣識別部
４０  取付部材
４１  支持部
４２  ガイド部
４３  蓋部
５２  コネクタ
５５  開口部
６０  遊技装置
６３  接客面
Ｍ  紙幣
【図１】
2005276052.tif 000003
【図２】
2005276052.tif 000004
【図３】
2005276052.tif 000005
【図４】
2005276052.tif 000006
【図５】
2005276052.tif 000007
【図６】
2005276052.tif 000008
【図７】
2005276052.tif 000009
【図８】
2005276052.tif 000010